(57)【要約】【課題】電子機器が載置されるクレードルに投影部を設け、この投影部で画像を大きく投影することができるクレードルを提供することを目的としてなされたものである。【解決手段】電子機器が載置される載置部１と、この載置部１に載置された前記電子機器１００の充電端子と電気的に接続して、前記電気機器１００を充電する充電端子を有するクレードル４０において、外部から送信されるデータを受信する通信部と、前記通信部が受信したデータを画像処理して投影画像データを生成する画像処理手段と、前記画像処理手段が生成した投影画像データを投影する投影部２と、前記投影部２の前記投影画像データの投影開始を決定する投影決定手段を有することを特徴とする。【選択図】図６
2009186712.tif 000002
【特許請求の範囲】
【請求項１】
電子機器が載置される載置部と、この載置部に載置された前記電子機器の充電端子と電気的に接続して、前記電気機器を充電する充電端子を有するクレードルにおいて、
外部から送信されるデータを受信する通信部と、
前記通信部が受信したデータを画像処理して投影画像データを生成する画像処理手段と、
前記画像処理手段が生成した投影画像データを投影する投影部と、
前記載置部に前記電子機器が載置されているか否かを検出する載置状態検出手段と、
前記載置状態検出手段が検出した情報に基づき、前記投影部の投影開始及び終了の少なくとも一方を決定する投影決定手段を有することを特徴とする投影機能付きクレードル。
【請求項２】
投影決定手段は、載置状態検出手段が検出した、電子機器の載置部への載置の情報に基づき、投影部の投影開始を決定することを特徴とする請求項１に記載の投影機能付きクレードル。
【請求項３】
投影決定手段は、載置状態検出手段が検出した、電子機器の載置部からの離脱の情報に基づき、投影部の投影開始を決定することを特徴とする請求項１に記載の投影機能付きクレードル。
【請求項４】
載置状態検出手段は、載置部に載置された電子機器の充電端子とクレードルの充電端子との電気的な接続を検出して、載置部に電子機器が載置されているか否かを検出し、
投影決定手段は、前記載置状態検出手段が検出した電子機器の載置の情報に基づき、投影部の投影開始を決定することを特徴とする請求項１に記載の投影機能付きクレードル。
【請求項５】
電子機器が載置される載置部と、前記載置部に載置された前記電子機器の充電端子と電気的に接続して、前記電子機器を充電する充電部と、外部から送信されるデータを受信する通信部と、前記通信部が受信したデータを画像処理して投影画像データを生成する画像処理手段と、前記画像処理手段が生成した投影画像データを投影する投影部と、前記載置部に前記電子機器が載置されているか否かを検出する載置状態検出手段と、前記載置状態検出手段が検出した情報に基づき、前記投影部の投影開始及び終了の少なくとも一方を決定する投影決定手段を有するクレードルと、
前記クレードルの通信部にデータを送信する送信手段を有し、前記クレードルの載置部に載置され、前記クレードルの充電端子と電気的に接続して充電される電子機器と、
から構成されることを特徴とする投影システム。
【請求項６】
電子機器は表示画面を有し、前記表示画面で表示されるデータを、クレードルの投影部で投影することを特徴とする請求項５に記載の投影システム。
【請求項７】
電子機器は携帯電話機であり、
載置状態検出手段が、前記携帯電話機が載置部から離脱していることを検出し、
投影決定手段が、前記携帯電話機が画像データを受信したと判断した場合には、
前記投影決定手段は、前記携帯電話機から受信した画像データの投影開始を決定することを特徴とする請求項６に記載の投影システム。
【請求項８】
電子機器はデータを表示する携帯画像表示装置であり、
載置状態検出手段が、携帯画像表示装置が載置部に載置されていることを検出した場合には、
投影決定手段は、前記携帯画像表示装置から受信したデータの投影開始を決定することを特徴とする請求項６に記載の投影システム。
【請求項９】
電子機器はテレビジョン画像データを受信して表示するテレビジョン受像器であり、
載置状態検出手段が、テレビジョン受像器が載置部に載置されていることを検出した場合には、
投影決定手段は、前記携帯画像表示装置から受信したデータの投影開始を決定することを特徴とする請求項６に記載の投影システム。
【請求項１０】
電子機器は携帯ゲーム機であり、携帯ゲーム機の表示画面で表示されるデータを、クレードルの投影部で投影することを特徴とする請求項６に記載の投影システム。
【請求項１１】
電子機器はドアフォン室内親機と通信するドアフォン室内子機であり、
載置状態検出手段が、ドアフォン室内子機の載置部からの離脱を検出した場合には、
投影決定手段は、前記ドアフォン室内子機もしくはドアフォン室内子機から受信したデータの投影開始を決定することを特徴とする請求項６に記載の投影システム。
【発明の詳細な説明】
【技術分野】
【０００１】
本発明は、電子機器を充電する際に用いられるクレードル及び投影システムに関する。
【背景技術】
【０００２】
近年、特許文献１に示されるようなカメラを有するドアフォンが普及しつつある。このようなドアフォンは、玄関先に取り付けられた、カメラを有する呼び出しユニットと、この呼び出しユニットのカメラで撮影された画像を表示し、呼び出しユニットの呼び出しに応答するための室内ユニットとから構成されている。室内ユニットは、一般にリビングルームの壁等に取り付けられている。このため、居住者が別の部屋で家事等を行っている際に、来訪者の呼び出しがあると、居住者がわざわざ室内ユニットがあるリビングルームまで移動して応答する必要があった。また、居住者が別の部屋に居ると、来訪者の呼び出しに気づかないという問題もあった。
【０００３】
そこで、特許文献２に示されるようなドアフォン装置が提案されている。この特許文献２に示されるドアフォン装置は、室内ユニットと無線回線によって画像及び音声の送受信をすることができる子機を備えていて、この子機は、受信した画像を、子機の表示画面に表示することができるようになっている。この子機を使用することにより、どの部屋に居ても来訪者の呼び出しに応答することができるようになっている。特許文献２のドアフォン装置は、呼び出し装置のカメラから送信される画像を、携帯電話やＰＨＳの液晶画面に表示するようにしている。このようなドアフォンは、子機を充電器であるクレードルに常時載置し、来訪者の呼び出しがあると、子機が呼出音を発するので、居住者がクレードルに載置されている子機を手に取って応答して使用する。子機が呼出音を発する際に、子機の表示画面に、呼び出しユニットのカメラで撮影された画像が表示されるので、居住者が来訪者を確認することができる。
【０００４】
しかしながら、居住者の呼び出しに応答している際には、居住者が子機のマイクを口に近づけるとともに、子機のスピーカを耳に近づけるため、居住者が子機の表示画面を見ることが出来ないという問題があった。
【特許文献１】特開平１０−７０６１５号公報
【特許文献２】特開平２００２−１５２３９２号公報
【発明の開示】
【発明が解決しようとする課題】
【０００５】
上記問題を解決するためになされた本発明は、画像を投影することができるクレードルを提供することを目的としてなされたものである。
【課題を解決するための手段】
【０００６】
上記課題を解決するためになされた請求項１に記載の発明は、電子機器が載置される載置部と、この載置部に載置された前記電子機器の充電端子と電気的に接続して、前記電気機器を充電する充電端子を有するクレードルにおいて、
外部から送信されるデータを受信する通信部と、
前記通信部が受信したデータを画像処理して投影画像データを生成する画像処理手段と、
前記画像処理手段が生成した投影画像データを投影する投影部と、
前記載置部に前記電子機器が載置されているか否かを検出する載置状態検出手段と、
前記載置状態検出手段が検出した情報に基づき、前記投影部の投影開始及び終了の少なくとも一方を決定する投影決定手段を有することを特徴とする。
【０００７】
請求項２に記載の投影決定手段は、載置状態検出手段が検出した、電子機器の載置部への載置の情報に基づき、投影部の投影開始を決定することを特徴とする。
【０００８】
請求項３に記載の投影決定手段は、載置状態検出手段が検出した、電子機器の載置部からの離脱の情報に基づき、投影部の投影開始を決定することを特徴とする。
【０００９】
請求項４に記載の載置状態検出手段は、載置部に載置された電子機器の充電端子とクレードルの充電端子との電気的な接続を検出して、載置部に電子機器が載置されているか否かを検出し、
請求項４に記載の投影決定手段は、前記載置状態検出手段が検出した電子機器の載置の情報に基づき、投影部の投影開始を決定することを特徴とする。
【００１０】
請求項５に記載の発明は、電子機器が載置される載置部と、前記載置部に載置された前記電子機器の充電端子と電気的に接続して、前記電子機器を充電する充電部と、外部から送信されるデータを受信する通信部と、前記通信部が受信したデータを画像処理して投影画像データを生成する画像処理手段と、前記画像処理手段が生成した投影画像データを投影する投影部と、前記載置部に前記電子機器が載置されているか否かを検出する載置状態検出手段と、前記載置状態検出手段が検出した情報に基づき、前記投影部の投影開始及び終了の少なくとも一方を決定する投影決定手段を有するクレードルと、
前記クレードルの通信部にデータを送信する送信手段を有し、前記クレードルの載置部に載置され、前記クレードルの充電端子と電気的に接続して充電される電子機器と、
から構成されることを特徴とする。
【００１１】
請求項６に記載の電子機器は、表示画面を有し、前記表示画面で表示されるデータを、クレードルの投影部で投影することを特徴とする。
【００１２】
請求項７に記載の電子機器は携帯電話機であり、
載置状態検出手段が、前記携帯電話機が載置部から離脱していることを検出し、
投影決定手段が、前記携帯電話機が画像データを受信したと判断した場合には、
前記投影決定手段は、前記携帯電話機から受信した画像データの投影開始を決定することを特徴とする。
【００１３】
請求項８に記載の電子機器はデータを表示する携帯画像表示装置であり、
載置状態検出手段が、携帯画像表示装置が載置部に載置されていることを検出した場合には、
投影決定手段は、前記携帯画像表示装置から受信したデータの投影開始を決定することを特徴とする。
【００１４】
請求項９に記載の電子機器はテレビジョン画像データを受信して表示するテレビジョン受像器であり、
載置状態検出手段が、テレビジョン受像器が載置部に載置されていることを検出した場合には、
投影決定手段は、前記携帯画像表示装置から受信したデータの投影開始を決定することを特徴とする。
【００１５】
請求項１０に記載の電子機器は、携帯ゲーム機であり、携帯ゲーム機の表示画面で表示されるデータを、クレードルの投影部で投影することを特徴とする。
【００１６】
請求項１１に記載の電子機器は、ドアフォン室内親機と通信するドアフォン室内子機で
あり、
載置状態検出手段が、ドアフォン室内子機の載置部からの離脱を検出した場合には、
投影決定手段は、前記ドアフォン室内子機もしくはドアフォン室内子機から受信したデータの投影開始を決定することを特徴とする。
【発明の効果】
【００１７】
請求項１に記載の発明は、電子機器が載置される載置部と、この載置部に載置された前記電子機器の充電端子と電気的に接続して、前記電気機器を充電する充電端子を有するクレードルにおいて、外部から送信されるデータを受信する通信部と、前記通信部が受信したデータを画像処理して投影画像データを生成する画像処理手段と、前記画像処理手段が生成した投影画像データを投影する投影部と、前記載置部に前記電子機器が載置されているか否かを検出する載置状態検出手段と、前記載置状態検出手段が検出した情報に基づき、前記投影部の投影開始及び終了の少なくとも一方を決定する投影決定手段を有することを特徴とする。このため、前記データの画像を投影部で投影することが可能となった。
【００１８】
請求項２に記載の投影決定手段は、載置状態検出手段が検出した、電子機器の載置部への載置の情報に基づき、投影部の投影開始を決定することを特徴とする。このため、ユーザが電子機器を載置部に載置するだけで、データの画像を投影部で投影することが可能となった。
【００１９】
請求項３に記載の投影決定手段は、載置状態検出手段が検出した、電子機器の載置部からの離脱の情報に基づき、投影部の投影開始を決定することを特徴とする。ことため、ユーザが載置部に載置されている電子機器を、取り上げるだけで、データの画像を投影部で投影することが可能となった。
【００２０】
請求項４に記載の載置状態検出手段は、載置部に載置された電子機器の充電端子とクレードルの充電端子との電気的な接続を検出して、載置部に電子機器が載置されているか否かを検出し、請求項４に記載の投影決定手段は、前記載置状態検出手段が検出した電子機器の載置の情報に基づき、投影部の投影開始を決定することを特徴とする。このため、ユーザが電子機器を載置部に載置したり、ユーザが載置部に載置されている電子機器を取り上げたりするだけで、データの画像を投影部で表示することが可能となった。
【００２１】
請求項５に記載の発明は、電子機器が載置される載置部と、前記載置部に載置された前記電子機器の充電端子と電気的に接続して、前記電子機器を充電する充電部と、外部から送信されるデータを受信する通信部と、前記通信部が受信したデータを画像処理して投影画像データを生成する画像処理手段と、前記画像処理手段が生成した投影画像データを投影する投影部と、前記載置部に前記電子機器が載置されているか否かを検出する載置状態検出手段と、前記載置状態検出手段が検出した情報に基づき、前記投影部の投影開始及び終了の少なくとも一方を決定する投影決定手段を有するクレードルと、
前記クレードルの通信部にデータを送信する送信手段を有し、前記クレードルの載置部に載置され、前記クレードルの充電端子と電気的に接続して充電される電子機器と、
から構成されることを特徴とする。
このため、電子機器からデータをクレードルの通信部に送信することにより、前記データの画像を、クレードルの投影部で投影面に投影することが可能となった。
【００２２】
請求項６に記載の電子機器は、表示画面を有し、前記表示画面で表示されるデータを、クレードルの投影部で投影することを特徴とする。このため、表示画面のように小さい画面でなく、投影部で前記データの画像を投影面に大きく表示することが可能となった。
【００２３】
請求項７に記載の電子機器は携帯電話機であり、載置状態検出手段が、前記携帯電話機が載置部から離脱していることを検出し、投影決定手段が、前記携帯電話機が画像データを受信したと判断した場合には、前記投影決定手段は、前記携帯電話機から受信した画像データの投影開始を決定することを特徴とする。
このため、通話しながらであっても、前記データの画像をクレードルの投影部で大きく表示することが可能となった。
【００２４】
請求項８に記載の電子機器はデータを表示する携帯画像表示装置であり、載置状態検出手段が、携帯画像表示装置が載置部に載置されていることを検出した場合には、投影決定手段は、前記携帯画像表示装置から受信したデータの投影開始を決定することを特徴とする。このため、携帯画像表示装置の表示画面のように小さい画面でなく、投影部で前記データの画像を投影面に大きく表示することが可能となった。
【００２５】
請求項９に記載の電子機器はテレビジョン画像データを受信して表示するテレビジョン受像器であり、載置状態検出手段が、テレビジョン受像器が載置部に載置されていることを検出した場合には、投影決定手段は、前記携帯画像表示装置から受信したデータの投影開始を決定することを特徴とする。
このため、テレビジョン受像器の表示画面のように小さい画面でなく、投影部で前記テレビジョン画像データを投影面に大きく表示することが可能となった。
【００２６】
請求項１０に記載の電子機器は、携帯ゲーム機であり、携帯ゲーム機の表示画面で表示されるデータを、クレードルの投影部で投影することを特徴とする。このため、携帯ゲーム機の表示画面のように小さい画面でなく、投影部で前記データの画像を投影面に大きく表示することが可能となった。
【００２７】
請求項１１に記載の電子機器は、ドアフォン室内親機と通信するドアフォン室内子機であり、載置状態検出手段が、ドアフォン室内子機の載置部からの離脱を検出した場合には、投影決定手段は、前記ドアフォン室内子機もしくはドアフォン室内子機から受信したデータの投影開始を決定することを特徴とする。
このため、居住者が、ドアフォン室内子機を載置部から取り上げて、呼び出しに応答している際であっても、前記データに含まれる来訪者の画像を投影部で投影面に表示することが可能となった。
【発明を実施するための最良の形態】
【００２８】
（クレードルの構造）
以下に、図面を参照しつつ本発明の好ましい実施の形態を示す。
図１は本発明の実施の形態を示す投影機能付きクレードル４０の正面斜視図である。図２は当該投影機能付きクレード４０の背面斜視図であり、図３は当該クレードル４０の上面図である。
【００２９】
図１〜３に示されるように、本実施形態の投影機能付きクレードル４０（以下単にクレードル４０と省略する）は、台形をしている。クレードル４０には、載置部１が凹陥形成されている。この載置部１に、後述する電子機器が差し込まれ、載置されるようになっている。
【００３０】
図２に示されるように、クレードル４０の背面には、ＡＣアダプター差し込み口５が設
けられている。このＡＣアダプター差し込み口５に、ＡＣアダプター（図示せず）のコネクターが差し込まれて、クレードル４０に電力が供給されるようになっている。
【００３１】
載置部１の底部には、充電端子３が露出して設けられている。充電端子３には、ＡＣアダプターから電力が供給されるようになっている。充電端子３は、載置部１に載置された電子機器の充電端子と接触して、前記電子機器と電気的に接続して、電子機器を充電するためのものである。
【００３２】
クレードル４０の前面には、後で詳細に説明する投影部２が設けられている。この投影部２は、壁等の投影面に画像を投影するものである。
【００３３】
クレードル４０には、載置状態検出部４が設けられている。本実施形態では、載置状態検出部４は、載置部１の底部に設けられている。この載置状態検出部４は、載置部１に電子機器が載置されているか否かを検出し、載置部１に電子機器が載置されているか否かの信号である「載置状態信号」を生成するものである。載置状態検出部４は、例えば、光学センサーや接触スイッチ等で構成されている。
【００３４】
クレードル４０の外表面には、操作ボタン６が設けられている。この操作ボタン６は、画像の投影部２の投影開始／投影終了を操作するためのものである。
【００３５】
（クレードルのブロック図）
図４に本発明の実施の形態を示す投影機能付きクレードル４０のブロック図を示して、投影機能付きクレードル４０の内部の構成の説明をする。投影機能付きクレードル４０は主に、充電端子３、載置状態検出部４、操作ボタン６、ＣＰＵ１２、ＲＡＭ１３、ＲＯＭ１４、通信部１５、ＬＥＤ制御回路２１、ＬＥＤ２２、照明光学系２３、光変調素子２４、結像光学系２５、画像処理回路２８、画像記憶メモリ２９、光変調素子ドライブ回路３０、フォーカス調整機構３１とから構成されている。充電端子３、載置状態検出部４、操作ボタン６、ＣＰＵ１２、ＲＡＭ１３、ＲＯＭ１４、通信部１５、ＬＥＤ制御回路２１、画像処理回路２８は相互にバス３５で接続されている。
【００３６】
ＣＰＵ（Ｃｅｎｔｒａｌ  Ｐｒｏｃｅｓｓｉｎｇ  Ｕｎｉｔの略）１２は、ＲＡＭ（Ｒａｎｄｏｍ  Ａｃｃｅｓｓ  Ｍｅｍｏｒｙの略）１３、ＲＯＭ（Ｒｅａｄ  Ｏｎｌｙ  Ｍｅｍｏｒｙの略）１４と協動して、各種演算、制御処理を行うものである。
【００３７】
ＲＡＭ１３は、ＣＰＵ１２に読み込まれて実行されるプログラムや、ＣＰＵ１２が制御処理するデータ、ＣＰＵ１２が制御処理したデータを、そのアドレス空間に一時的に格納するものである。
【００３８】
ＲＯＭ１４には、投影機能付きクレードル４０を制御する各種プログラムやパラメータが格納されている。当該各種プログラムが、ＣＰＵ１２で実行されることにより、各種機能を実現している。ＲＯＭ１４には、後述する載置状態検出手段１４ａや投影決定手段１４ｂ等のプログラムが格納されている。なお、バス３５に、不揮発性メモリやハードディスク等の記憶装置を接続して構成し、前記格納装置に前記各種プログラムやパラメータを格納する構造にしても差し支えない。
【００３９】
載置状態検出手段１４ａは、載置部１に電子機器１が載置されているか否かを検出する手段である。載置状態検出手段１４ａは、載置状態検出部４が生成した「載置状態信号」に基づき、載置部１に電子機器が載置されているか否かを検出する。あるいは、載置状態検出手段１４ａは、クレードル４０の充電端子３と電子機器の充電端子との電気的な接続を検出することにより、載置部１に電子機器が載置されているか否かを検出する。
【００４０】
投影決定手段１４ｂは、投影部２の投影開始／投影終了を決定する手段である。投影決定手段１４ｂは、載置状態検出手段１４ａが検出した情報、つまり、載置部１に電子機器が載置されているか否かの情報に基づき、投影部２の投影開始／投影終了を決定する。
【００４１】
なお、載置状態検出手段１４ａ及び投影決定手段１４ｂを、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）として構成することとしても差し支えない。
【００４２】
通信部１５は、外部から「データ」を受信し、このデータを取得するインターフェースである。通信部１５は例えば、Ｗｉｒｅｌｅｓｓ ＵＳＢ、Ｂｌｕｅｔｏｏｔｈ、その他の無線インターフェースが含まれる。なお、前記「データ」には、「静止画データ」、「動画データ」が含まれる。
【００４３】
載置状態検出部４は、載置部１に電子機器が載置されているか否かを検出するものである。
【００４４】
操作ボタン６は、ユーザが操作ボタン６を押下したことを検出し、投影部２をＯＮ／ＯＦＦの状態にして、投影部２の投影開始／終了を決定するものである。
【００４５】
投影部２は、ＬＥＤ制御回路２１、ＬＥＤ２２、照明光学系２３、光変調素子２４、結像光学系２５、画像処理回路２８、画像記憶メモリ２９、光変調素子ドライブ回路３０、フォーカス調整機構３１とから構成されている。
【００４６】
ＬＥＤ制御回路２１は、ＬＥＤ２２に電力を供給し、駆動制御する回路である。ＬＥＤ（Ｌｉｇｈｔ  Ｅｍｉｔｔｉｎｇ  Ｄｉｏｄｅ）２２は、ＬＥＤ制御回路２１から電力が供給されると、発光するようになっている。なお、ＬＥＤの代わりにランプを用いても差し支えない。照明光学系２３は、ＬＥＤ２２が発光した拡散光をより均一な照明光に集光し、光変調素子２４に出光するものである。
【００４７】
光変調素子２４は、ＬＣＤ（Ｌｉｑｕｉｄ  Ｃｒｙｓｔａｌ  Ｄｉｓｐｌａｙの略、液晶表示素子）であり、透光性の多数の画素から構成されている。光変調素子２４は、光変調素子ドライブ回路３０から取得した信号電極駆動信号及び走査電極駆動信号に基づいて、前記多数の画素を階調表現して「投影画像」を生成する。なお、光変調素子２４は、ＤＭＤ（Ｄｉｇｉｔａｌ  Ｍｉｃｒｏｍｉｒｒｏｒ  Ｄｅｖｉｃｅ）等の光変調素子であっても差し支えない。
【００４８】
結像光学系２５は、光変調素子２４を透過した照明光を、投影面７５に結像するものである。
【００４９】
画像処理回路２８は、通信部１５が取得した「静止画像データ」や「動画データ」、後述する「テレビジョン画像データ」を、バス３５を介して取得し、前記各データに対し信号の付加、或いは変更など（必要に応じて、光変調素子２４の画素に合わせて、画素を縮小又は拡大処理を行い、シャープネス補正、ガンマ補正、コントラスト補正、ホワイトバランス補正、台形補正等の画像処理）を行い、「投影画像データ」を生成する回路である。「投影画像データ」は、光変調素子２４の画素の座標に対応する点について、Ｒ（赤）、Ｇ（緑）、Ｂ（青）のそれぞれの原色で、階調表現したデータである。なお、通信部１５が取得した「静止画像データ」や「動画データ」、「テレビジョン画像データ」が、圧縮処理されている場合には、画像処理回路２８は、伸長処理を行ってから前記画像処理を行い「投影画像データ」を生成する。なお、ＲＯＭ１４に記憶されたプログラムを、ＣＰＵ１２で実行することにより、前記画像処理を行い、「投影画像データ」を生成すること
にしても差し支えない。
【００５０】
画像記憶メモリ２９は、画像処理回路２８が生成した「投影画像データ」を、一時的にそのアドレス空間に格納するものである。
【００５１】
光変調素子ドライブ回路３０は、画像記憶メモリ２９から出力される「投影画像データ」に基づいて、光変調素子２４の信号電極に印加する信号電極駆動信号、及び走査電極に印加する走査電極駆動信号を出力するものである。
【００５２】
フォーカス調整機構３１は、結像光学系２５を自動的に合焦させる機構である。なお、結像光学系２５が、固定焦点レンズでパンフォーカスを実現している場合には、フォーカス調整機構３１は不要である。
【００５３】
（第１の実施形態の概要）
図５に第１の実施形態の裏面斜視図を示し、図６に第１の実施形態の正面斜視図を示して、以下に第１の実施形態を説明する。第１の実施形態は、クレードル４０の載置部１に載置される電子機器が、ドアフォン装置のドアフォン室内子機１００である実施形態である。
【００５４】
本実施形態に使用されるドアフォン装置は、呼び出しユニットと、ドアフォン室内親機と、ドアフォン室内子機１００とから構成されている。呼び出しユニットは、呼び出しボタン、マイクロフォン、スピーカ、通信部を備えていて、例えば玄関先に取り付けられている。本発明では、呼び出しユニットは、更に、カメラを備えている。
【００５５】
ドアフォン室内親機は、応答ボタン、マイクロフォン、スピーカ、通信部、表示画面を備えていて、リビングルーム等の室内に取り付けられている。呼び出しユニットの通信部とドアフォン室内親機の通信部とは、通信手段により相互に通信できるようになっている。なお、前記通信手段には、有線、無線の両方の通信手段が含まれる。
【００５６】
来訪者が呼び出しユニットの呼び出しボタンを押下した場合には、ドアフォン室内親機のスピーカが呼出音を発し、来訪者の呼び出しを室内の居住者に知覚させる。室内の居住者は、ドアフォン室内親機の応答ボタンを押下することにより、来訪者の呼び出しに応答することができ、以後、来訪者と居住者とが、呼び出しユニットとドアフォン室内親機を介して会話することができるようになる。つまり、来訪者が発言すると、呼び出しユニットのマイクロフォンが、来訪者の声を音声信号に変換し、この音声信号が前記通信手段を介して、ドアフォン室内親機に送信されるようになっている。そして、ドアフォン室内親機のスピーカが、前記音声信号を音に変換して、前記スピーカが来訪者の声を発するようになっている。また、居住者が、発言すると、ドアフォン室内親機のマイクロフォンが、居住者の声を音声信号に変換し、この音声信号が前記通信手段を介して、呼び出しユニットに送信されるようになっている。そして、呼び出しユニットのスピーカが、前記音声信号を音に変換して、前記スピーカが居住者の声を発するようになっている。
【００５７】
本発明では、来訪者が呼び出しユニットの呼び出しボタンを押下した場合には、呼び出しユニットのカメラが来訪者を撮像して「画像データ」を生成し、この「画像データ」が前記通信手段を介して、ドアフォン室内親機に送信されるようになっている。そして、ドアフォン室内親機は、「画像データ」を、表示画面に表示する。居住者は、ドアフォン室内親機の表示画面を見ることにより、来訪者を確認することができるようになっている。なお、前記「画像データ」には、「静止画像データ」及び「動画データ」の両方が含まれる。
【００５８】
ドアフォン室内子機１００は、後で詳細に説明するが、操作部１０３（図５、図７に示す）、マイクロフォン１０７（図７に示す）、スピーカ１０６（図７に示す）、表示画面１０１（図５、図７に示す）、通信部１１０（図７に示す）を備えている。ドアフォン室内子機１００の通信部１１０と、ドアフォン室内親機の通信部とは、通信手段により相互に通信できるようになっている。なお、前記通信手段には、主として無線が用いられる。
【００５９】
来訪者が呼び出しユニットの呼び出しボタンを押下した場合には、ドアフォン室内子機１００のスピーカ１０６も呼出音を発するようになっている。居住者は、ドアフォン室内親機の代わりに、ドアフォン室内子機の操作部１０３を操作することにより、来訪者の呼び出しに応答することができ、以後、来訪者と居住者とが、呼び出しユニットとドアフォン室内子機１００を介して会話することができるようになる。つまり、来訪者が発言すると、呼び出しユニットのマイクロフォンが、来訪者の声を音声信号に変換し、この音声信号が前記通信手段を介して、ドアフォン室内子機１００に送信されるようになっている。そして、ドアフォン室内子機１００のスピーカ１０６が、前記音声信号を音に変換して、スピーカ１０６が来訪者の声を発するようになっている。また、居住者が、発言すると、ドアフォン室内子機１００のマイクロフォン１０７が、居住者の声を集音して音声信号に変換し、この音声信号が前記通信手段を介して、呼び出しユニットに送信されるようになっている。そして、呼び出しユニットのスピーカが、前記音声信号を音に変換して、前記スピーカが居住者の声を発するようになっている。
【００６０】
来訪者が呼び出しユニットの呼び出しボタンを押下した場合には、呼び出しユニットのカメラで撮像された「画像データ」が、ドアフォン室内親機からドアフォン室内子機１００に送信される。そして、ドアフォン室内子機１００は、前記「画像データ」を、表示画面１０１に表示する。居住者は、ドアフォン室内子機１００の表示画面１０１を見ることにより、来訪者を確認することができるようになっている。
【００６１】
第１の実施形態は、ドアフォン室内親機が送信する「画像データ」を、クレードル４０の投影部２で投影する実施形態である。
【００６２】
（ドアフォン室内子機の構成）
図５や図６に示されるように、ドアフォン室内子機１００は、本実施形態では、略直方体形状であるが、この形状に限定されない。図５や図６に示されるように、ドアフォン室内子機１００の下部は、クレードル４０の載置部１に受容されて載置されるようになっている。つまり、クレードル４０の載置部１は、ドアフォン室内子機１００の下部の外周に合わせた形状となっている。
【００６３】
ドアフォン室内子機１００の下面には、充電端子１２１（図７に示す）が設けられている。この充電端子１２１と、クレードル４０の充電端子３が電気的に接続して、ドアフォン室内子機１００に電力が供給されるようになっている。
【００６４】
ドアフォン室内子機１００には、表示画面１０１が設けられている。この表示画面１０１は、ＬＣＤ等で構成されている。本実施形態では、表示画面１０１は、ドアフォン室内子機１００が、載置部１に載置された状態で、外部から見ることができるようになっている。
【００６５】
ドアフォン室内子機１００の上部には、スピーカ穴１０２が形成されている。このスピーカ穴１０２の内側にスピーカ１０６が配設されている。ドアフォン室内子機１００の下部には、マイクロフォン穴（図示せず）が形成されている。このマイクロフォン穴の内側に、マイクロフォン１０７が配設されている。ドアフォン室内子機１００の外表面には、操作部１０３が設けられている。
【００６６】
（ドアフォン室内子機のブロック図）
図７にドアフォン室内子機１００のブロック図を示して、以下説明する。図７に示されるように、ドアフォン室内子機１００は、主に、ＣＰＵ１１２、ＲＡＭ１１３、ＲＯＭ１１４、表示画面１０１、操作部１０３、音声処理部１０５、スピーカ１０６、マイクロフォン１０７、通信部１１０、充電部１２０、充電端子１２１、充電検出部１２２、二次電池１２３とから構成されている。ＣＰＵ１１２、ＲＡＭ１１３、ＲＯＭ１１４、表示画面１０１、操作部１０３、音声処理部１０５、通信部１１０、充電部１２０は相互にバス１３５で接続されている。
【００６７】
ＣＰＵ１１２は、ＲＡＭ１１３、ＲＯＭ１１４と協動して、各種演算、制御処理を行うものである。
【００６８】
ＲＡＭ１１３は、ＣＰＵ１１２に読み込まれて実行されるプログラムや、ＣＰＵ１１２が制御処理するデータ、ＣＰＵ１１２が制御処理したデータを、そのアドレス空間に一時的に格納するものである。
【００６９】
ＲＯＭ１１４には、ドアフォン室内子機１００を制御する各種プログラムやパラメータが格納されている。当該各種プログラムが、ＣＰＵ１１２で実行されることにより、各種機能を実現している。なお、バス１３５に、不揮発性メモリやハードディスク等の記憶装置を接続して構成し、前記格納装置に前記各種プログラムやパラメータを格納する構造にしても差し支えない。
【００７０】
表示画面１０１は、バス１３５を介して取得した「画像データ」を表示するものである。
【００７１】
操作部１０３はドアフォン室内子機１００の各種設定を変更し、ドアフォン室内子機１００を操作するためのものである。ユーザが操作部１０３を操作すると、「設定変更信号」や「操作信号」が生成され、バス１３５を介して、各種プログラムに引き渡されるようになっている。呼び出しユニットからの呼び出しがあった場合には、ユーザは、この操作部１０３を操作して、応答することができるようになっている。
【００７２】
音声処理部１０５は、マイクロフォン１０７が出力する音声信号を取得して音声処理するものである。また、音声処理部１０５は、スピーカ１０６に出力する音声信号を音声処理するものである。
【００７３】
マイクロフォン１０７は、外部からの音声を取得し、電気信号である音声信号に変換するものである。ユーザが話した音声は、マイクロフォン１０７で音声信号に変換されたうえで、音声処理部１０５に出力されるようになっている。
【００７４】
スピーカ１０６は、音声処理部１０５が出力する音声信号を音声に変換するものである。
【００７５】
通信部１１０は、ドアフォン室内親機の通信部から送信される「音声信号」、「画像データ」等の「データ」を受信するものである。また、通信部１１０は、マイクロフォン１０７が生成した「音声信号」を、ドアフォン室内親機の通信部に送信するものである。通信部１１０には例えば、Ｗｉｒｅｌｅｓｓ ＵＳＢ、Ｂｌｕｅｔｏｏｔｈ、その他の無線インターフェースが含まれる。
【００７６】
二次電池１２３には、リチウムイオン電池、ニッケル水素電池、ニッケルカドミウム電池が含まれる。この二次電池１２３が供給する電力により、ドアフォン室内子機１００が
作動するようになっている。
【００７７】
充電検出部１２２は、二次電池１２３の電圧、充電電圧を検出して、充電部１２０にこれらの情報を出力するものである。
【００７８】
充電部１２０は、充電端子１２１から供給される電流を、二次電池１２３に供給し、また電流の供給や充電電圧を制御するものである。充電検出部１２２が、二次電池１２３が過充電状態にあると判断した場合には、二次電池１２３への電流の供給を遮断するようになっている。
【００７９】
（第１の実施形態のフロー）
図８に第１の実施形態のフロー図を示し、以下第１の実施形態について説明をする。第１の実施形態のフローが開始すると、Ｓ１２「呼出信号受信」の処理に進む。来訪者が呼出ユニットの呼出ボタンを押下すると、「呼出信号」が呼出ユニットの通信部からドアフォン室内親機を中継して、ドアフォン室内子機１００の通信部１１０に送信される。ドアフォン室内子機１００の通信部１１０が「呼出信号」を受信すると、音声処理部１０５が、呼出音の音声信号をスピーカ１０６に出力し、スピーカ１０６は、「呼出音」を発する。また、ドアフォン室内子機１００の通信部１１０はクレードル４０に向け、呼び出し信号があったことを送信する。Ｓ１２の処理において、クレードル４０の通信部１５で呼び出し信号があったことを受信する。もちろん、呼出ユニットの通信部からドアフォン室内親機を中継して、ドアフォン室内子機１００の通信部１１０に送信された「呼出信号」を直接受信しても良い。
【００８０】
居住者がドアフォン室内子機１００の操作部１０３を押下した場合には、音声処理部１０５がＯＮ状態となり、スピーカ１０６及びマイクロフォン１０７を通じて、来訪者と会話できるようになり、Ｓ１４「クレードルに子機無し？」の判断に進む。一方で、居住者がドアフォン室内子機１００の操作部１０３を押下しない場合でも来訪者の姿を確認したいので、ドアフォン室内子機１００の操作にかかわらずＳ１４の判断に進む。
【００８１】
Ｓ１４「クレードルに子機無し？」の判断において、クレードル４０の載置状態検出手段１４ａは、載置部１にドアフォン室内子機１００が載置されているか否かを判断する。Ｓ１４の判断において、居住者がドアフォン室内子機１００を、クレードル４０から取り上げた場合には、載置状態検出手段１４ａは、載置部１からドアフォン室内子機１００が離脱し、載置部１にドアフォン室内子機１００が載置されていないと判断するので、Ｓ１５「投影部をＯＮ」の処理に進む。一方で、居住者がドアフォン室内子機１００を、クレードル４０から取り上げず、載置状態検出手段１４ａが、載置部１にドアフォン室内子機１００が載置されていると判断した場合には、Ｓ１５の処理には進まない。
【００８２】
Ｓ１５「投影部をＯＮ」の処理において、投影決定手段１４ｂは、投影部２をＯＮの状態にする命令を出力する。具体的には、ＬＥＤ制御回路２１がＬＥＤ２２を点灯させる。Ｓ１５の処理が終了すると、Ｓ１６「受信信号有り？」の判断に進む。
【００８３】
Ｓ１６「受信信号有り？」の判断において、投影決定手段１４ｂは、通信部１５が「データ」を受信したか否かを判断する。なお、通信部１５が受信する「データ」は、ドアフォン室内親機が送信した「データ」である。もちろん、ドアフォン室内親機が送信した「データ」をドアフォン室内子機１００が受信し、さらにクレードル４０に送信することにしても差し支えない。投影決定手段１４ｂが、通信部１５が「データ」を受信したと判断した場合には、Ｓ１７「投影」の処理に進む。一方で、投影決定手段１４ｂが、通信部１５が「データ」を一定時間受信しないと判断した場合には、Ｓ１９「投影部をＯＦＦ」の処理に進む。
【００８４】
Ｓ１７「投影」の処理において、投影決定手段１４ｂは、通信部１５が受信した「データ」に含まれる「画像データ」を、画像処理回路２８に出力する処理を行う。画像処理回路２８は「画像データ」を画像処理して「投影画像データ」を生成して、画像記憶メモリ２９に一時的に格納する処理を行うとともに、画像記憶メモリ２９に格納された「投影画像データ」を、順次、光変調素子ドライブ回路３０に出力する処理を行う。光変調素子２４が画像を生成し、この光変調素子２４を透過した照明光が結像光学系２５で結像されて、「画像」が壁等の投影面７５に投影される。Ｓ１７の処理が終了すると、Ｓ１８「クレードルに載置？」の判断に進む。
【００８５】
Ｓ１８「クレードルに載置？」の判断において、投影決定手段１４ｂは、載置部１にドアフォン室内子機１００が載置されているか否かを判断する。居住者が、ドアフォン室内子機１００を、クレードル４０の載置部１に載置した場合には、投影決定手段１４ｂは、載置部１にドアフォン室内子機１００が載置されていると判断するので、Ｓ１９「投影部をＯＦＦ」の処理に進む。一方で、投影決定手段１４ｂが、載置部１にドアフォン子機が載置されていないと判断した場合には、Ｓ１６の判断に戻る。
【００８６】
Ｓ１９「投影部をＯＦＦ」の処理において、投影決定手段１４ｂは、投影部２をＯＦＦの状態にする処理を行う。具体的には、ＬＥＤ制御回路２１がＬＥＤ２２を消灯する。Ｓ１９の処理が終了すると一連のフローが終了する。
【００８７】
なお、図８のフローで説明した実施形態とは逆に、Ｓ１４の判断で、載置状態検出手段１４ａが、載置部１にドアフォン室内子機１００が載置されていることを検出して、Ｓ１５の処理に進み、投影決定手段１４ｂが投影部２をＯＮの状態することとしても差し支えない。つまり、居住者が、ドアフォン室内子機１００を、クレードル４０の載置部１に載置した際に、Ｓ１７の処理で、ドアフォン室内親機が送信する「画像データ」を投影部２で投影することにしても差し支えない。この場合には、居住者が、載置部１に載置されているドアフォン室内子機１００を、載置部１から取り上げると、載置状態検出手段１４ａが、載置部１からのドアフォン室内子機１００の離脱を検出し、Ｓ１９の処理において、投影決定手段１４ｂが、投影部２をＯＦＦの状態にする。
【００８８】
あるいは、Ｓ１４の判断において、居住者がドアフォン室内子機１００の操作部１０３や、クレードル４０の操作ボタン６を操作することにより、その操作情報をクレードル４０が通信部１５を介して受信することによりＳ１５の処理に進み、Ｓ１５の処理において、投影決定手段１４ｂが、投影部２をＯＮの状態することとしても差し支えない。この場合には、居住者が、ドアフォン室内子機１００の操作部１０３や、クレードル４０の操作ボタン６を操作することにより、Ｓ１９の処理において、その操作情報をクレードル４０が通信部１５を介して受信することにより投影決定手段１４ｂが、投影部２をＯＦＦの状態にする。
【００８９】
なお、以上説明した実施形態では、ドアフォン室内親機が「画像データ」を直接、通信部１５に送信して、この「画像データ」を投影部２で投影することにしたが、本発明はこの実施形態に限定されず、ドアフォン室内子機１００に、通信部１５と通信する近距離無線部を設け、ドアフォン室内親機から送信される「画像データ」を、ドアフォン室内子機１００が中継して、前記近距離無線部が、通信部１５に送信して、この「画像データ」を投影部２で投影することにしても差し支えない。
【００９０】
このように第１の実施形態では、ドアフォン室内親機が送信する「画像データ」を、クレードル４０の投影部２で投影することにしたので、居住者の呼び出しに応答している際であっても、来訪者の画像を投影部２で投影面７５に大きく表示することが可能となった
。
【００９１】
（第２の実施形態）
次に第２の実施形態について説明をする。第２の実施形態は、携帯電話機２００が受信する「画像データ」を、クレードル４０の投影部２で投影する実施形態である。図９に携帯電話機２００のブロック図を示して、以下第２の実施形態について説明をする。
【００９２】
図９に示されるように、携帯電話機２００は、主に、ＣＰＵ２１２、ＲＡＭ２１３、ＲＯＭ２１４、表示画面２０１、操作部２０３、音声処理部２０５、スピーカ２０６、マイクロフォン２０７、無線部２１０、近距離無線部２１１、画像処理回路２３０、充電部２２０、充電端子２２１、充電検出部２２２、二次電池２２３とから構成されている。ＣＰＵ２１２、ＲＡＭ２１３、ＲＯＭ２１４、表示画面２０１、操作部２０３、音声処理部２０５、無線部２１０、近距離無線部２１１、画像処理回路２３０、充電部２２０は相互にバス２３５で接続されている。
【００９３】
ＣＰＵ２１２は、ＲＡＭ２１３、ＲＯＭ２１４と協動して、各種演算、制御処理を行うものである。
【００９４】
ＲＡＭ２１３は、ＣＰＵ２１２に読み込まれて実行されるプログラムや、ＣＰＵ２１２が制御処理するデータ、ＣＰＵ２１２が制御処理したデータを、そのアドレス空間に一時的に格納するものである。
【００９５】
ＲＯＭ２１４には、携帯電話機２００を制御する各種プログラムやパラメータが格納されている。当該各種プログラムが、ＣＰＵ２１２で実行されることにより、各種機能を実現している。なお、バス２３５に、不揮発性メモリやハードディスク等の記憶装置を接続して構成し、前記格納装置に前記各種プログラムやパラメータを格納する構造にしても差し支えない。
【００９６】
表示画面２０１は、バス２３５を介して取得した「画像データ」を表示するものである。
【００９７】
操作部２０３は携帯電話機２００の各種設定を変更し、携帯電話機２００を操作するためのものである。ユーザが操作部２０３を操作すると、「設定変更信号」や「操作信号」が生成され、バス２３５を介して、各種プログラムに引き渡されるようになっている。
【００９８】
音声処理部２０５は、マイクロフォン２０７が出力する音声信号を取得して音声処理するものである。また、音声処理部２０５は、スピーカ２０６に出力する音声信号を音声処理するものである。
【００９９】
マイクロフォン２０７は、外部からの音声を取得し、電気信号である音声信号に変換するものである。ユーザが話した音声は、マイクロフォン２０７で音声信号に変換されたうえで、音声処理部２０５に出力されるようになっている。
【０１００】
スピーカ２０６は、音声処理部２０５が出力する音声信号を音声に変換するものである。
【０１０１】
無線部２１０は、携帯電話の基地局との間で、「音声データ」、「画像データ」等の「データ」を送受信するものである。なお、前記「画像データ」には、「静止画像データ」及び「動画データ」が含まれる。この無線部２１０の通信規格には、ＰＤＣ(Ｐｅｒｓｏｎａｌ  Ｄｉｇｉｔａｌ  Ｃｅｌｌｕｌａｒ)、ｃｄｍａＯｎｅ、Ｗ−ＣＤＭＡ(Ｗｉｄｅｂａｎｄ  ｃＣｏｄｅ  Ｄｉｖｉｓｉｏｎ  Ｍｕｌｔｉｐｌｅ  ＡＣＣＥＳＳ)、ＣＤＭＡ2000、ＧＳＭ（ＧｌｏｂａｌＳｙｓｔｅｍ ｆｏｒ ＭｏｂｉｌｅＣｏｍｍｕｎｉｃａｔｉｏｎｓ）等の通信規格が含まれる。
【０１０２】
例えば、インターネット上の「画像データ」を、無線部２１０でダウンロードすることにより、前記「画像データ」が携帯電話機２００に入力されるようになっている。あるいは、他の携帯電話機が送信した「画像データ」を、無線部２１０で受信することにより、前記「画像データ」が携帯電話機２００に入力されるようになっている。
【０１０３】
近距離無線部２１１は、「画像データ」等の「データ」を送受信するインターフェースである。近距離無線部２１１には例えば、Ｗｉｒｅｌｅｓｓ ＵＳＢ、Ｂｌｕｅｔｏｏｔｈ、その他の無線インターフェースが含まれる。近距離無線部２１１は、クレードル４０の通信部１５との間で、「データ」を送受信するようになっている。
【０１０４】
二次電池２２３には、リチウムイオン電池、ニッケル水素電池、ニッケルカドミウム電池が含まれる。この二次電池２２３が供給する電力により、携帯電話機２００が作動するようになっている。
【０１０５】
充電検出部２２２は、二次電池２２３の電圧、充電電圧を検出して、充電部２２０にこれらの情報を出力するものである。
【０１０６】
充電部２２０は、充電端子２２１から供給される電流を、二次電池２２３に供給し、また電流の供給や充電電圧を制御するものである。充電検出部２２２が、二次電池２２３が過充電状態にあると判断した場合には、二次電池２２３への電流の供給を遮断するようになっている。
【０１０７】
画像処理回路２３０は、無線部２１０が受信した「画像データ」を画像処理し、表示画面２０１に表示する回路である。無線部２１０が受信した「画像データ」が圧縮処理されている場合には、画像処理回路２３０は、伸長処理を行ってから前記画像処理をする。また、画像処理回路２３０は、近距離無線部３１０が通信部１５の送信する「画像データ」を圧縮処理する。
【０１０８】
（第２の実施形態のフローの説明）
図１０に第２の実施形態の携帯電話機のフロー図を示し、図１１に第２の実施形態のクレードルのフロー図を示して、第２の実施形態のフローを説明する。
【０１０９】
図１０のフローが開始すると、Ｓ３２「クレードルに載置？」の操作に進む。ユーザが携帯電話機２００を、クレードル４０の載置部１に載置すると、Ｓ３３「画面表示中？」の判断に進む。
【０１１０】
一方で図１１のフローが開始すると、Ｓ４２「携帯電話機載置？」の判断に進む。ユーザが携帯電話機２００を、クレードル４０の載置部１から取り上げると、載置状態検出手段１４ａが、携帯電話機２００が載置部１に載置されていないことを検出し、Ｓ４３「通信部ＯＮ」の処理に進む。一方で、載置状態検出手段１４ａが、携帯電話機２００が載置部１に載置されていることを検出した場合には、Ｓ４３の処理に進まない。
【０１１１】
Ｓ４３「通信部ＯＮ」の処理において、クレードル４０の通信部１５がＯＮとなる。Ｓ４３の処理が終了すると、Ｓ４４「データ受信？」の判断に進む。
【０１１２】
図１０のフローの、Ｓ３３「画面表示中？」の判断において、携帯電話機２００の無線
部２１０が、「データ」を受信すると、この「データ」を一時的に、ＲＡＭ２１３に格納するとともに、「データ」に含まれる「画像データ」を表示画面２０１に表示し、Ｓ３４「データを送信」の処理に進む。一方で、一定時間、表示画面２０１で、「画像データ」が表示されない場合には、図１０のフローは終了する。
【０１１３】
Ｓ３４の処理において、近距離無線部２１１は、ＲＡＭ２１３に格納されている「データ」を、クレードル４０の通信部１５に送信する。Ｓ３４の処理が終了すると、Ｓ３５「表示画面ＯＦＦ」の処理に進む。
【０１１４】
Ｓ３５「表示画面ＯＦＦ」の処理において、表示画面２０１がＯＦＦの状態にされる。Ｓ３５の処理が終了すると、Ｓ３６「クレードルから取り出す？」の操作に進む。
【０１１５】
Ｓ３６「クレードルから取り出す」の操作において、ユーザが携帯電話機２００をクレードル４０から取り出すと、Ｓ３８「投影終了コマンド送信」の処理に進む。一方で、ユーザが携帯電話機２００をクレードル４０から取り出さない場合には、Ｓ３７「表示終了？」の判断に進む。
【０１１６】
Ｓ３７「表示終了？」の判断において、ユーザが通話終了や切りボタンを押した場合には、表示終了と判断され、Ｓ３８「投影終了コマンド送信」
の処理に進む。一方で、ユーザが通話終了や切りボタンを押さない場合には、Ｓ３４の処理に戻る。
【０１１７】
Ｓ３８「投影終了コマンド送信」の処理において、携帯電話機２００の近距離無線部２１１は、クレードル４０に「投影終了コマンド」
を送信する。Ｓ３８の処理が終了すると、携帯電話機２００のフローが終了する。
【０１１８】
図１１のＳ４４「データ受信？」の判断において、投影決定手段１４ｂが、クレードル４０の通信部１５が「データ」を受信したと判断した場合には、この「データ」を一時的にＲＡＭ１３に格納して、Ｓ４５「画像データ有り？」の判断に進む。
【０１１９】
Ｓ４５「画像データ有？」の判断において、投影決定手段１４ｂが、「データ」の中に、「画像データ」が含まれていると判断した場合には、Ｓ４６「投影部をＯＮ」の処理に進む。一方で、投影決定手段１４ｂが、Ｓ４４で通信部１５が受信した「データ」の中に、「画像データ」が含まれていないと判断した場合には、Ｓ４８「投影終了？」の判断に進む。
【０１２０】
Ｓ４６「投影部をＯＮ」の処理において、投影決定手段１４ｂは、ＬＥＤ制御回路２１をＯＮの状態にする。ＯＮの状態になったＬＥＤ制御回路２１は、ＬＥＤ２２を点灯させる。Ｓ４６「投影部をＯＮ」の処理が終了すると、Ｓ４７「投影」の処理に進む。
【０１２１】
Ｓ４７「投影」の処理において、投影決定手段１４ｂは、ＲＡＭ１３に格納されている「画像データ」を、画像処理回路２８に出力する処理を行う。画像処理回路２８は「画像データ」を画像処理して「投影画像データ」を生成して、画像記憶メモリ２９に一時的に格納する処理を行うとともに、画像記憶メモリ２９に格納された「投影画像データ」を、順次、光変調素子ドライブ回路３０に出力する処理を行う。光変調素子２４が画像を生成し、この光変調素子２４が透過した照明光が結像光学系２５で結像されて、「画像」が壁等の投影面７５に投影される。Ｓ４７の処理が終了すると、Ｓ４４「データ受信？」の判断に戻る。
【０１２２】
Ｓ４８「投影終了？」の判断において、投影決定手段１４ｂは、投影部２をＯＦＦにす
るか否かを判断する。図１０の携帯電話機２００のフローのＳ３８「投影終了コマンド送信」の処理で、携帯電話機２００の近距離無線部２１１が、「投影終了コマンド」をクレードル４０に送信し、クレードル４０の通信部１５が「投影終了コマンド」を受信した場合には、Ｓ４９「投影部をＯＦＦ」の処理に進む。一方で、クレードル４０の通信部１５が、「投影終了コマンド」を受信しない場合には、Ｓ４４の判断に戻る。なお、一定時間「画像データ」を受信することなく、一定時間「投影画像データ」が投影部２で投影されず、投影決定手段１４ｂが、投影部２が一定時間作動していないと判断した場合に、Ｓ４９「投影部をＯＦＦ」の処理に進むことにしても差し支えない。
【０１２３】
Ｓ４９「投影部をＯＦＦ」の処理において、投影決定手段１４ｂは、ＬＥＤ制御回路２１をＯＦＦの状態にして、ＬＥＤ２２を消灯する。Ｓ４９の処理が終了すると、図１１のフローは終了する。
【０１２４】
以上説明した第２の実施形態では、携帯電話機２００が載置部１に載置されていない状態で、通信部１５が「画像データ」を受信した場合に、投影決定手段１４ｂが、投影開始を決定して、投影部２をＯＮの状態にすることにしたが、第２の実施形態はこの実施形態に限定されず、ユーザが携帯電話機２００をクレードル４０の載置部１に載置して、載置状態検出手段１４ａが、携帯電話機２００が載置部１に載置されていることを検出し、通信部１５が「画像データ」を受信した場合に、投影決定手段１４ｂが投影開始を決定して、投影部２をＯＮの状態にすることにしても差し支えない。あるいは、ユーザが、携帯電話機２００の操作部２０３や、クレードル４０の操作ボタン６を操作することにより、投影部２をＯＮの状態若しくはＯＦＦの状態にして、投影部２での「画像」の投影開始／終了の決定をすることにしても差し支えない。
【０１２５】
このように第２の実施形態では、携帯電話機２００が受信する「画像データ」を、クレードル４０の投影部２で投影することにしたので、携帯電話機２００の表示画面２０１のように小さい画面でなく、投影部２で壁等の投影面７５に「画像データ」を大きく表示することが可能となった。
【０１２６】
（第３の実施形態の概要）
図１２に第３の実施形態の裏面斜視図を示し、図１３に第３の実施形態の正面斜視図を示して、以下に第３の実施形態を説明する。第３の実施形態は、携帯画像表示装置３００が保存している「画像データ」、若しくは携帯画像表示装置３００が受信する「画像データ」、「テレビジョン画像データ」を、クレードル４０の投影部２で投影する実施形態である。
【０１２７】
図１２や図１３に示されるように、携帯画像表示装置３００は、本実施形態では、薄型の板状であるが、この形状に限定されない。図１２や図１３に示されるように、携帯画像表示装置３００の下部は、クレードル４０の載置部１に受容されて載置されるようになっている。つまり、クレードル４０の載置部１は、携帯画像表示装置３００の下部に合わせた形状となっている。
【０１２８】
携帯画像表示装置３００の下面には、充電端子３２１（図１４に示す）が設けられている。この充電端子３２１と、クレードル４０の充電端子３が接続して、携帯画像表示装置３００に電力が供給されるようになっている。
【０１２９】
携帯画像表示装置３００には、表示画面３０１が設けられている。この表示画面３０１は、ＬＣＤ等で構成されている。本実施形態では、表示画面３０１は、携帯画像表示装置３００が、載置部１に載置された状態で、外部から見ることができるようになっている。
【０１３０】
携帯画像表示装置３００の外表面には、操作部３０３が設けられている。
【０１３１】
（携帯画像表示装置のブロック図）
図１４に示されるように、携帯画像表示装置３００は、主に、ＣＰＵ３１２、ＲＡＭ３１３、ＲＯＭ３１４、記憶部３１５、表示画面３０１、操作部３０３、音声処理部３０５、スピーカ３０６、入力部３１０、近距離無線部３１１、受信部３１７、アンテナ３１８、画像処理回路３３０、充電部３２０、充電端子３２１、充電検出部３２２、二次電池３２３とから構成されている。ＣＰＵ３１２、ＲＡＭ３１３、ＲＯＭ３１４、記憶部３１５、表示画面３０１、操作部３０３、音声処理部３０５、入力部３１０、近距離無線部３１１、受信部３１７、画像処理回路３３０、充電部３２０は相互にバス３３５で接続されている。
【０１３２】
ＣＰＵ３１２は、ＲＡＭ３１３、ＲＯＭ３１４と協動して、各種演算、制御処理を行うものである。
【０１３３】
ＲＡＭ３１３は、ＣＰＵ３１２に読み込まれて実行されるプログラムや、ＣＰＵ３１２が制御処理するデータ、ＣＰＵ３１２が制御処理したデータを、そのアドレス空間に一時的に格納するものである。
【０１３４】
ＲＯＭ３１４には、携帯画像表示装置３００を制御する各種プログラムやパラメータが格納されている。当該各種プログラムが、ＣＰＵ３１２で実行されることにより、各種機能を実現している。なお、後述する記憶部３１５に前記各種プログラムやパラメータを格納する構造にしても差し支えない。
【０１３５】
記憶部３１５は、フラッシュメモリー等の不揮発性メモリや、ハードディスク等の記憶装置で構成されている。
【０１３６】
表示画面３０１は、バス３３５を介して取得した「画像データ」を表示するものである。
【０１３７】
操作部３０３は、携帯画像表示装置３００の各種設定を変更し、携帯画像表示装置３００を操作するためのものである。ユーザが操作部３０３を操作すると、「設定変更信号」や「操作信号」が生成され、バス３３５を介して、各種プログラムに引き渡されるようになっている。
【０１３８】
音声処理部３０５は、スピーカ３０６に出力する音声信号を音声処理するものである。
【０１３９】
スピーカ３０６は、音声処理部３０５が出力する音声信号を音声に変換するものである。
【０１４０】
入力部３１０は、「画像データ」が入力されるインターフェースである。入力部３１０に入力された、「画像データ」は、記憶部３１５に記憶されるようになっている。入力部３１０には、ＬＡＮ（Ｌｏｃａｌ  Ａｒｅａ  Ｎｅｔｗｏｒｋ）や、ＵＳＢ（Ｕｎｖｅｒｓａｌ  Ｓｅｒｉａｌ  Ｂｕｓの略、ＵＳＢ１．０、ＵＳＢ１．１、ＵＳＢ２．０を含む）、ＩＥＥＥ１３９４、その他インターフェースが含まれる。あるいは、入力部３１０は、無線を用いたものであってもよく、この場合のインターフェースとしては、ＩＥＥＥ８０２に規定されているいわゆる無線ＬＡＮやＢｌｕｅｔｏｏｔｈ、その他の無線インターフェースが含まれる。
【０１４１】
例えば、「画像データ」が記憶されたＵＳＢメモリを、インターフェースがＵＳＢである入力部３１０に差し込むことにより、前記「画像データ」が携帯画像表示装置３００入
力されるようになっている。あるいは、インターネット上の「画像データ」を、インターフェースがＬＡＮや無線ＬＡＮである入力部３１０でダウンロードして、前記「画像データ」が携帯画像表示装置３００に入力されるようになっている。
【０１４２】
「画像データ」には、「静止画像データ」、「動画データ」が含まれる。「静止画像データ」には、ＪＰＥＧ（Ｊｏｉｎｔ  Ｐｈｏｔｏｇｒａｐｈｉｃ  Ｅｘｐｅｒｔｓ  Ｇｒｏｕｐの略）、ＢＭＰ（Ｂｉｔｍａｐの略）、ＴＩＦＦ（Ｔａｇｇｅｄ  Ｉｍａｇｅ  Ｆｉｌｅ  Ｆｏｒｍａｔの略）、ＰＮＧ（Ｐｏｒｔａｂｌｅ  Ｎｅｔｗｏｒｋ  Ｇｒａｐｈｉｃｓの略）、ＧＩＦ（Ｇｒａｐｈｉｃｓ  Ｉｎｅｒｃｈａｎｇｅ  Ｆｏｒｍａｔの略）等の「静止画像データ」が含まれる。また、「動画データ」の動画圧縮アルゴリズムには、Ｈ．２６４、Ｍｏｔｉｏｎ  ＪＰＥＧ、ＭＰＥＧ−１、ＭＰＥＧ−２、ＭＰＥＧ−４が含まれ、「動画データ」の動画フェイル形式には、ＡＶＩ（Ａｕｄｉｏ  Ｖｉｄｅｏ  Ｉｎｔｅｒｌｅａｖｅの略）、ＡＳＦ（Ａｄｖａｎｃｅｄ  Ｓｙｓｔｅｍｓ  Ｆｏｒｍａｔの略、）等が含まれる。
【０１４３】
近距離無線部３１１は、「画像データ」や後述する「テレビジョン画像データ」等の「データ」を送受信するインターフェースである。近距離無線部３１１には例えば、Ｗｉｒｅｌｅｓｓ ＵＳＢ、Ｂｌｕｅｔｏｏｔｈ、その他の無線インターフェースが含まれる。近距離無線部３１１は、クレードル４０の通信部１５との間で、「データ」を送受信するようになっている。
【０１４４】
受信部３１７は、アンテナ３１８を介して、「テレビジョン画像データ」を受信するものである。前記「テレビジョン画像データ」には、いわゆるアナログテレビジョン放送（ＮＴＳＣ、ＰＡＬ、ＳＥＣＭ）の「テレビジョン画像データ」、いわゆるデジタルテレビジョン放送の「テレビジョン画像データ」が含まれる。デジタルテレビジョン放送には、いわゆるハイビジョン放送（ＨＩ−ＶＩＳＩＯＮ）、ワンセグ放送（１ｓｅｇ）が含まれる。受信部３１７が受信した「テレビジョン画像データ」は、ＲＡＭ３１３に一時的に格納されるようになっている。
【０１４５】
二次電池３２３には、リチウムイオン電池、ニッケル水素電池、ニッケルカドミウム電池が含まれる。この二次電池３２３が供給する電力により、携帯画像表示装置３００が作動するようになっている。
【０１４６】
充電検出部３２２は、二次電池３２３の電圧、充電電圧を検出して、充電部３２０にこれらの情報を出力するものである。
【０１４７】
充電部３２０は、充電端子３２１から供給される電流を、二次電池３２３に供給し、また電流の供給や充電電圧を制御するものである。充電検出部３２２が、二次電池３２３が過充電状態にあると判断した場合には、二次電池３２３への電流の供給を遮断するようになっている。
【０１４８】
画像処理回路３３０は、入力部３１０が受信した「画像データ」や受信部３１７が受信した「テレビジョン画像データ」を画像処理し、表示画面３０１に表示する回路である。入力部３１０が受信した「画像データ」や受信部３１７が受信した「テレビジョン画像データ」が圧縮処理されている場合には、画像処理回路３３０は、伸長処理を行ってから前記画像処理をする。また、画像処理回路３３０は、近距離無線部３１１が通信部１５の送信する「画像データ」や「テレビジョン画像データ」を圧縮処理する。
【０１４９】
（第３の実施形態のフローの説明）
図１５に第３の実施形態の携帯画像表示装置３００のフロー図を示し、図１６に第３の
実施形態のクレードル４０のフロー図を示して、第３の実施形態のフローを説明する。
【０１５０】
図１５のフローが開始すると、Ｓ５２「クレードルに載置？」の操作に進む。ユーザが携帯画像表示装置３００を、クレードル４０の載置部１に載置すると、Ｓ５３「画面表示中？」の判断に進む。
【０１５１】
一方で図１６のフローが開始すると、Ｓ６２「携帯画像表示装置載置？」の判断に進む。ユーザが携帯画像表示装置３００を、クレードル４０の載置部１に載置すると、載置状態検出手段１４ａが、載置部１への携帯画像表示装置３００の載置を検出し、Ｓ６３「通信部ＯＮ」の処理に進む。
【０１５２】
Ｓ６３「通信部ＯＮ」の処理において、クレードル４０の通信部１５がＯＮの状態となる。Ｓ６３の処理が終了すると、Ｓ６４「データ受信？」に進む。
【０１５３】
図１５のフローの、Ｓ５３「画面表示中？」の判断において、入力部３１０から入力された「画像データ」が、表示画面３０１で表示されると、Ｓ５４「データを送信」の処理に進む。また、Ｓ５３の判断において、受信部３１７が受信した「テレビジョン画像データ」が、表示画面３０１で表示されると、Ｓ５４「データを送信」の処理に進む。一方で、一定時間、表示画面３０１で、「画像データ」が表示されない場合には、図１５のフローは終了する。
【０１５４】
Ｓ５４の処理において、近距離無線部３１１は、記憶部３１５に記憶されている「画像データ」や、ＲＡＭ３１３に格納されている「テレビジョン画像データ」を、クレードル４０の通信部１５に送信する。Ｓ５４の処理が終了すると、Ｓ５５「表示画面ＯＦＦ」の処理に進む。一方で、近距離無線部３１１が、一定時間「データ」をクレードル４０の通信部１５に送信しない場合には、図１５のフローは終了する。
【０１５５】
Ｓ５５「表示画面ＯＦＦ」の処理において、表示画面３０１がＯＦＦの状態にされる。Ｓ５５の処理が終了すると、Ｓ５６「クレードルから取り出す？」の操作に進む。
【０１５６】
Ｓ５６「クレードルから取り出す」の操作において、ユーザが携帯画像表示装置３００をクレードル４０から取り出すと、Ｓ５８「投影終了コマンド送信」の処理に進む。一方で、ユーザが携帯画像表示装置３００をクレードル４０から取り出さない場合には、Ｓ５７「表示終了？」の判断に進む。
【０１５７】
Ｓ５７「表示終了？」の判断において、ユーザが通話終了や切りボタンを押した場合には、表示終了と判断され、Ｓ５８「投影終了コマンド送信」の処理に進む。一方で、ユーザが通話終了や切りボタンを押さない場合には、Ｓ５４の処理に戻る。
【０１５８】
Ｓ５８「投影終了コマンド送信」の処理において、携帯画像表示装置３００の近距離無線部３１１は、クレードル４０に「投影終了コマンド」を送信する。Ｓ５８の処理が終了すると、携帯画像表示装置３００のフローが終了する。
【０１５９】
図１６のＳ６４「データ受信？」の判断において、投影決定手段１４ｂが、クレードル４０の通信部１５が「データ」や「テレビジョン画像データ」を受信したと判断した場合には、この「データ」や「テレビジョン画像データ」を一時的にＲＡＭ１３に格納して、Ｓ６５「画像データ有り？」の判断に進む。
【０１６０】
Ｓ６５「画像データ有？」の判断において、投影決定手段１４ｂが、Ｓ６４において通信部１５が受信した「データ」の中に、「画像データ」が含まれていると判断した場合に
は、Ｓ６６「投影部をＯＮ」の処理に進む。Ｓ６４の判断において、通信部１５が「テレビジョン画像データ」を受信していた場合には、Ｓ６５の判断において、Ｓ６６の処理に進む。一方で、投影決定手段１４ｂが、「データ」の中に、「画像データ」が含まれていないと判断した場合には、Ｓ６８「投影終了？」の判断に進む。あるいは、一定時間通信部１５が「テレビジョン画像データ」を受信しない場合には、Ｓ６８の判断に進む。
【０１６１】
Ｓ６６「投影部をＯＮ」の処理において、投影決定手段１４ｂは、ＬＥＤ制御回路２１をＯＮの状態にする。ＯＮの状態になった、ＬＥＤ制御回路２１は、ＬＥＤ２２を点灯させる。Ｓ６６「投影部をＯＮ」の処理が終了すると、Ｓ６７「投影」の処理に進む。
【０１６２】
Ｓ６７「投影」の処理において、投影決定手段１４ｂは、ＲＡＭ１３に格納されている「画像データ」や「テレビジョン画像データ」を、画像処理回路２８に出力する処理を行う。画像処理回路２８は「画像データ」や「テレビジョン画像データ」を画像処理して「投影画像データ」を生成して、画像記憶メモリ２９に一時的に格納する処理を行うとともに、画像記憶メモリ２９に格納された「投影画像データ」を、順次、光変調素子ドライブ回路３０に出力する処理を行う。光変調素子２４が画像を生成し、この光変調素子２４が透過した照明光が結像光学系２５で結像されて、「画像」が壁等の投影面７５に投影される。Ｓ６７の処理が終了すると、Ｓ６４「データ受信？」の判断に戻る。
【０１６３】
Ｓ６８「投影終了？」の判断において、投影決定手段１４ｂは、投影部２をＯＦＦにするか否かを判断する。図１５の携帯画像表示装置３００のフローのＳ５８「投影終了コマンド送信」の処理で、携帯画像表示装置３００の近距離無線部３１１が、「投影終了コマンド」をクレードル４０に送信し、クレードル４０の通信部１５が「投影終了コマンド」を受信した場合には、Ｓ６９「投影部をＯＦＦ」の処理に進む。一方で、クレードル４０の通信部１５が、「投影終了コマンド」を受信しない場合には、Ｓ６４の判断に戻る。なお、一定時間「画像データ」を受信することなく、一定時間「投影画像データ」が投影部２で投影されず、投影決定手段１４ｂが、投影部２が一定時間作動していないと判断した場合に、Ｓ６９「投影部をＯＦＦ」の処理に進むことにしても差し支えない。
【０１６４】
Ｓ６９「投影部をＯＦＦ」の処理において、投影決定手段１４ｂは、ＬＥＤ制御回路２１をＯＦＦにして、ＬＥＤ２２を消灯する。Ｓ６９の処理が終了すると、図１６のフローは終了する。
【０１６５】
以上説明した第３の実施形態では、携帯画像表示装置３００が載置部１に載置された状態で、通信部１５が「画像データ」を受信した場合に、投影決定手段１４ｂが、投影開始を決定して、投影部２をＯＮの状態にすることにしたが、第３の実施形態はこの実施形態に限定されず、ユーザが携帯画像表示装置３００をクレードル４０から取り出して、載置状態検出手段１４ａが、携帯画像表示装置３００が載置部１から離脱していることを検出し、通信部１５が「画像データ」や「テレビジョン画像データ」を受信した場合に、投影決定手段１４ｂが、投影開始を決定して、投影部２をＯＮの状態にすることにしても差し支えない。あるいは、ユーザが、携帯画像表示装置３００の操作部３０３や、クレードル４０の操作ボタン６を操作することにより、投影部２をＯＮの状態若しくはＯＦＦの状態にして、投影部２での「画像」の投影開始／終了を決定することにしても差し支えない。
【０１６６】
このように第３の実施形態では、携帯画像表示装置３００に入力される「画像データ」や、携帯画像表示装置３００が受信する「テレビジョン画像データ」を、クレードル４０の投影部２で投影することにしたので、携帯画像表示装置３００の表示画面３０１のように小さい画面でなく、投影部２で壁等の投影面７５に「画像データ」を大きく表示することが可能となった。
【０１６７】
なお、第３の実施形態の携帯画像表示装置３００は、入力部３１０や記憶部３１５を有さないテレビジョン受像器や、受信部３１７を有さない、携帯画像表示装置であっても差し支えない。また、第３の実施形態の携帯画像表示装置３００は、入力部３１０に接続する記憶媒体や、記憶部３１５、コンピュータゲームのプログラムが記憶された携帯ゲーム機であっても差し支えない。
【０１６８】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う投影機能付きクレードルもまた技術的範囲に包含されるものとして理解されなければならない。     
【図面の簡単な説明】
【０１６９】
【図１】本発明の実施の形態を示す投影機能付きクレードルの正面斜視図である。
【図２】本発明の実施の形態を示す投影機能付きクレードルの背面斜視図である。
【図３】本発明の実施の形態を示す投影機能付きクレードルの上面図である。
【図４】本発明の投影機能付きクレードルのブロック図である。
【図５】第１の実施形態の裏面斜視図である。
【図６】第１の実施形態の正面斜視図である。
【図７】ドアフォン室内子機のブロック図である。
【図８】第１の実施形態のフロー図である。
【図９】携帯電話機のブロック図である。
【図１０】第２の実施形態の携帯電話のフロー図である。
【図１１】第２の実施形態のクレードルのフロー図である。
【図１２】第３の実施形態の裏面斜視図である。
【図１３】第３の実施形態の正面斜視図である。
【図１４】携帯画像表示装置のブロック図である。
【図１５】第３の実施形態の携帯画像表示装置のフロー図である。
【図１６】第３の実施形態のクレードルのフロー図である。
【符号の説明】
【０１７０】
１        載置部
２        投影部
３        充電端子（投影機能付きクレードル）
４        載置状態検出部
５        ＡＣアダプター差し込み口
６        操作ボタン（投影機能付きクレードル）
１２      ＣＰＵ（投影機能付きクレードル）
１３      ＲＡＭ（投影機能付きクレードル）
１４      ＲＯＭ（投影機能付きクレードル）
１４ａ    載置状態検出手段
１４ｂ    投影決定手段
１５      通信部（投影機能付きクレードル）
２１      ＬＥＤ制御回路
２２      ＬＥＤ
２３      照明光学系
２４      光変調素子
２５      結像光学系
２８      画像処理回路
２９      画像記憶メモリ
３０      光変調素子ドライブ回路
３１      フォーカス調整機構
３５      バス（投影機能付きクレードル）
４０      投影機能付きクレードル
７５      投影面
１００    ドアフォン室内子機
１０１    表示画面（ドアフォン室内子機）
１０２    スピーカ穴
１０３    操作部（ドアフォン室内子機）
１０５    音声処理部（ドアフォン室内子機）
１０６    スピーカ（ドアフォン室内子機）
１０７    マイクロフォン（ドアフォン室内子機）
１１０    通信部（ドアフォン室内子機）
１１２    ＣＰＵ（ドアフォン室内子機）
１１３    ＲＡＭ（ドアフォン室内子機）
１１４    ＲＯＭ（ドアフォン室内子機）
１２０    充電部（ドアフォン室内子機）
１２１    充電端子（ドアフォン室内子機）
１２２    充電検出部（ドアフォン室内子機）
１２３    二次電池（ドアフォン室内子機）
１３５    バス（ドアフォン室内子機）
２００    携帯電話機
２０１    表示画面（携帯電話機）
２０３    操作部（携帯電話機）
２０５    音声処理部（携帯電話機）
２０６    スピーカ（携帯電話機）
２０７    マイクロフォン（携帯電話機）
２１０    無線部（携帯電話機）
２１１    近距離無線部（携帯電話機）
２１２    ＣＰＵ（携帯電話機）
２１３    ＲＡＭ（携帯電話機）
２１４    ＲＯＭ（携帯電話機）
２２０    充電部（携帯電話機）
２２１    充電端子（携帯電話機）
２２２    充電検出部（携帯電話機）
２２３    二次電池（携帯電話機）
２３０    画像処理回路（携帯電話機）
２３５    バス（携帯電話機）
３００    携帯画像表示装置
３０１    表示画面（携帯画像表示装置）
３０３    操作部（携帯画像表示装置）
３０５    音声処理部（携帯画像表示装置）
３０６    スピーカ（携帯画像表示装置）
３１０    入力部（携帯画像表示装置）
３１１    近距離無線部（携帯画像表示装置）
３１２    ＣＰＵ（携帯画像表示装置）
３１３    ＲＡＭ（携帯画像表示装置）
３１４    ＲＯＭ（携帯画像表示装置）
３１５    記憶部（携帯画像表示装置）
３１７    受信部（携帯画像表示装置）
３１８    アンテナ（携帯画像表示装置）
３２０    充電部（携帯画像表示装置）
３２１    充電端子（携帯画像表示装置）
３２２    充電検出部（携帯画像表示装置）
３２３    二次電池（携帯画像表示装置）
３３０    画像処理回路（携帯画像表示装置）
３３５    バス（携帯画像表示装置）
【図１】
2009186712.tif 000003
【図２】
2009186712.tif 000004
【図３】
2009186712.tif 000005
【図４】
2009186712.tif 000006
【図５】
2009186712.tif 000007
【図６】
2009186712.tif 000008
【図７】
2009186712.tif 000009
【図８】
2009186712.tif 000010
【図９】
2009186712.tif 000011
【図１０】
2009186712.tif 000012
【図１１】
2009186712.tif 000013
【図１２】
2009186712.tif 000014
【図１３】
2009186712.tif 000015
【図１４】
2009186712.tif 000016
【図１５】
2009186712.tif 000017
【図１６】
2009186712.tif 000018